(57)【特許請求の範囲】
【請求項１】
中釜当接部に作用することにより針板下面の中釜止め部に上糸ループを通過間隔を形成するものであって、
釜軸に固定された偏心カムを一端部において包持し他端部にオープナーが固定された中釜案内腕と、
一端部が中釜案内リンク軸に揺動可能に支持され、他端部が中釜案内腕に揺動可能に連結された中釜案内リンクとよりなり、
中釜案内リンク軸の取付位置を複数設け、中釜案内リンクにおける中釜案内リンク軸への連結位置及び中釜案内腕における中釜案内リンクとの連結位置をそれぞれ複数設け、これらの取付位置、連結位置の少なくとも一つを選択可能とし、中釜当接部に作用するオープナー先端部が外釜回転方向と同方向回りの中釜当接部に沿った方向に長径を有する楕円運動軌跡をとるミシンのオープナー。
【請求項２】
中釜当接部に作用することにより針板下面の中釜止め部に上糸ループを通過間隔を形成するものであって、
釜軸に固定された偏心カムを一端部において包持し他端部にオープナーが固定された中釜案内腕と、
一端部が中釜案内リンク軸に揺動可能に支持され、他端部が中釜案内腕に揺動可能に連結された中釜案内リンクとよりなり、
中釜案内リンク軸に偏心軸部が延設され、その偏心軸部が取付基材に固定され、中釜当接部に作用するオープナー先端部が外釜回転方向と同方向回りの中釜当接部に沿った方向に長径を有する楕円運動軌跡をとるミシンのオープナー。
【発明の詳細な説明】
【０００１】
【発明の属する技術分野】
本発明は、針板下面の中釜止め部に係合突起を遊嵌して中釜を非回転に保持した本縫いミシン用の水平釜において、中釜を外釜回転方向と反対方向に強制回転させることにより、中釜止め部に上糸ループ通過間隙を形成させるミシンのオープナーに関するものである。
【０００２】
【従来の技術】
本縫いミシン用の水平釜は、中釜と外釜とよりなっているが、外釜が回転するときに中釜が伴回りしないように、針板下面の一対の係止部材間に中釜の係合突起を遊嵌している。通常は外釜の回転に伴う摩擦によって中釜の係合突起は一方の係止部材に係合し続けることとなるが、それでは釜周囲を回る上糸ループが係合突起と係止部材との間を通過できず、上糸ループに大きな張力が加わり、縫い目形成動作に支障をきたすことになる。オープナーは、その上糸ループの通過を容易にするために、中釜を強制的に寄せ、上糸ループ通過間隙を形成するものである。
【０００３】
図８に示すように、従来のオープナー２０は、一端が中釜案内腕軸２１に揺動可能に支持された中釜案内腕２２の自由端に固定されている。その中釜案内腕２２の中間部には、釜軸２３に固定された偏心カム２４を包持する中釜案内リンク２５の先端部がピン２６によって揺動可能に連結されている。中釜２７には、係合突起２７ａが外周部に突設されており、針板２８の下面に設けられている一対の係止部材２９、３０の間に遊嵌している。また、そこから外釜回転方向と反対方向の少し離れた位置にある中釜当接部２７ｂは、上糸ループが釜周囲を通過するときに中釜２７を外釜３１の矢印で示した回転方向と逆の方向に回転させ、外釜３１の回転による係合突起２７ａの係止部材２９への当接状態を開放するための、オープナー先端部２０ａが触れる部分である。
【０００４】
【発明が解決しようとする課題】
上糸ループが釜周囲を通過するときには、係合突起２７ａと係止部材２９との間を上糸ループが渡るに要する時間の確保（オープナー先端２０ａと中釜当接部２７ｂとの当接状態の一定時間の維持）と、次工程において中釜当接部２７ｂとオープナー先端２０ａとの間を上糸が渡るに要する間隔の確保（オープナー先端２０ａの中釜当接部２７ｂからの素早い離間）が必要である。ところが、従来のオープナー先端２０ａは、図７に示すような直線状の運動軌跡をしており、係合突起２７ａと係止部材２９との間を上糸ループが渡るに要する時間を確保しようとすると、当接時のオープナー先端２０ａのストロークを長くせざるを得ないので、中釜２７の揺動量が大きくなり、下糸張力が不安定となりがちである。また、中釜当接部２７ｂとオープナー先端２０ａとの間を上糸が渡るに要する間隔を確保するためには、オープナー２０は高速で動く必要があるが、前工程において中釜当接部２７ｂと当たるときもオープナー先端２０ａの速度は高速であるので、大きな衝突音が発生する。更に、中釜当接部２７ｂに衝突した後もオープナー先端２０ａは高速で移動するので、中釜２７は勢いよく回転させられ、係合突起２７ａと係合部材３０とが衝突し、大きな衝突音が発生する。
【０００５】
本発明は、針板下面の中釜係合突起遊嵌部に上糸ループ通過間隙を形成する際に、中釜を外釜回転方向と逆方向にゆっくり、且つ、少し回転させることを目的としている。
【０００６】
【課題を解決するための手段】
上記課題を解決するため、請求項１記載の発明は、
中釜当接部に作用することにより針板下面の中釜止め部に上糸ループを通過間隔を形成するものであって、
釜軸に固定された偏心カムを一端部において包持し他端部にオープナーが固定された中釜案内腕と、
一端部が中釜案内リンク軸に揺動可能に支持され、他端部が中釜案内腕に揺動可能に連結された中釜案内リンクとよりなり、
中釜案内リンク軸の取付位置を複数設け、中釜案内リンクにおける中釜案内リンク軸への連結位置及び中釜案内腕における中釜案内リンクとの連結位置をそれぞれ複数設け、これらの取付位置、連結位置の少なくとも一つを選択可能とし、中釜当接部に作用するオープナー先端部が外釜回転方向と同方向回りの中釜当接部に沿った方向に長径を有する楕円運動軌跡をとるミシンのオープナーである。
また、請求項２記載の発明は、
中釜当接部に作用することにより針板下面の中釜止め部に上糸ループを通過間隔を形成するものであって、
釜軸に固定された偏心カムを一端部において包持し他端部にオープナーが固定された中釜案内腕と、
一端部が中釜案内リンク軸に揺動可能に支持され、他端部が中釜案内腕に揺動可能に連結された中釜案内リンクとよりなり、
中釜案内リンク軸に偏心軸部が延設され、その偏心軸部が取付基材に固定され、中釜当接部に作用するオープナー先端部が外釜回転方向と同方向回りの中釜当接部に沿った方向に長径を有する楕円運動軌跡をとるミシンのオープナーである。
【０００８】
【発明の実施の形態】
図１ないし図５を参照し、本発明のミシンのオープナーの第１実施形態について説明する。
【０００９】
このオープナー１は、縫い針の昇降運動に同期して回転する釜軸４に固定された外釜９と、外釜９に回転可能に嵌合された中釜１０とよりなる本縫いミシン用の水平釜に用いられるものである。その中釜１０の外周に突設された係合突起１０ａは、針板１１の下面に設けられた一対の係止部材１２、１３の間に遊嵌されている。
【００１０】
本発明のオープナー１は、釜軸４に固定された偏心カム５を一端部において包持する中釜案内腕２の他端部に止めねじ８により固定されている。そして、その中釜案内腕２のオープナー１近くには、中釜案内リンク軸６に揺動可能に支持された中釜案内リンク３の揺動端がピン７によって揺動可能に連結されている。
【００１１】
中釜案内リンク軸６は、複数設けてある。中釜案内リンク３における中釜案内リンク軸６への連結穴３ａ、３ｂも、複数設けてある。中釜案内腕２における中釜案内リンク３との連結穴２ａ、２ｂも、複数設けてある。
【００１２】
釜は、一般に、被縫製布の種類や使用糸の種類に最適な上糸ループの通過タイミングの得られるものを選んで用いている。それぞれの釜は、偏心カム５の位相等が微妙に異なるので、同じように各部材を連結すると、オープナー先端部１ａの運動軌跡も変化し、必ずしも最良なものばかりではない。そこで、上記複数の〔中釜案内リンク軸６、６〕、〔連結穴３ａ、３ｂ〕、〔連結穴２ａ、２ｂ〕の何れかの組合わせ（図示の例では８通りある）を選んで、使用釜に最も理想的なオープナー先端部１ａの運動軌跡がえられるようにする。図２〜図４に示すものは、その組合わせの例である。オープナー先端部１ａの理想的運動軌跡がどのようなものであるかは、以下に述べる。
【００１３】
その前に、図５を参照し、中釜案内リンク３の複数の連結穴をつなげて長穴３ｃとしたものについて説明する。これは、中釜案内リンク軸６への固定位置を長穴３ｃの任意の位置に設定することができるので、複数の連結穴３ａ、３ｂを設けたものに比べ、よりきめ細かに対処することができる。
【００１４】
この場合、中釜案内リンク軸６は、中釜案内リンク３の長穴３ｃの上、下に配されたナット１５、筒状段ねじ１６を貫通した状態で取付基材Ｂに止めねじ１４により固定されているが、中釜案内リンク３の中釜案内リンク軸６への固定は、次のようにしてなされる。即ち、中釜案内リンク３を中釜案内リンク軸６に対し長穴３ｃに沿って移動させ、任意の位置で筒状段ねじ１６にナット１５を締付けて固定する。
【００１５】
次に、オープナー先端部１ａの運動軌跡について説明する。オープナー１は、中釜１０側へ湾曲している。釜軸４の回転に伴う偏心カム５の回転により、中釜案内リンク３に規制されて中釜案内腕２が揺動するときに、中釜当接部１０ｂへ当接するオープナー先端部１ａは、図７に示すように楕円の運動軌跡を描くことになる。即ち、外釜回転方向イと逆方向に中釜１０を回転させて、係合突起１０ａを係止部材１２から離す際の、オープナー先端部１ａは外釜９の回転方向イと同じく、時計方向回りの楕円運動軌跡をとることになる。
【００１６】
仮に、中釜当接部１０ｂの外端位置をゼロ点、中釜当接部１０ｂを通る線をＹ軸とし、それに直交する線をＸ軸とした場合、上記楕円運動軌跡は、Ｙ軸方向、即ち、中釜当接部１０ｂに沿った方向に長くなっている。この楕円運動軌跡からオープナー先端部１ａの速度は、中釜当接部１０ｂに当たる直前に速度が遅い状態へと減速されていることがわかる。従って、オープナー先端部１ａと中釜当接部１０ｂとの衝突音はほぼなくなる。また、オープナー先端部１ａが中釜当接部１０ｂへ当接するときの速度成分は、Ｘ方向よりもＹ方向の方が大きいので、係合突起１０ａと係止部材１２との間を上糸が渡る時間を充分に確保しつつ、中釜１０の揺動量を小さく抑えることができるから、下糸張力が安定し、良好な縫い目を形成することができる。また、オープナー先端部１ａは、中釜当接部１０ｂに当接した後、Ｘ軸方向への移動速度が加速されるが、中釜当接部１０ｂを離れる前には、再び遅い速度へと減速されるので、中釜１０はゆっくりと回転されることとなり、中釜１０が勢いよく回転することによる係合突起１０ａと係止部材１３との衝突も回避することができ、大きな衝突音を発生することがない。
【００１７】
図７より明らかなように、本発明のオープナー１は、中釜１０を回転させて上糸ループが通過した後のオープナー先端部１ａが中釜１０から離れる方向は、中釜当接部１０ｂにほぼ沿ったＹ軸正方向である。
【００１８】
このことは、中釜１０の回転後の復帰方向が、オープナー先端部１ａが中釜１０から離れる方向と正反対であることを意味し、それにより、中釜１０の戻りが容易となる（因に、従来のものは、同方向である）。従って、楕円運動軌跡の半分以上を、係合突起１０ａを係止部材１２から離すための運動に振り向けることができる。このことにより、上糸ループが中釜１０の係合突起１０ａと係止部材１２との間（中釜止め部）を通過する充分な時間のゆとりを確保することができると共に、オープナー先端部１ａと中釜当接部１０ｂとの間を上糸が渡る充分な時間を確保することができる。
【００１９】
これに対して、図８に示す従来例として説明したものは、中釜２７の回転後の復帰方向と、オープナー先端部２０ａが中釜２７から離れる方向とが同方向である。従って、オープナーのストロークが長い場合は、中釜当接部に作用する距離を小さくすると、その作用時間が短くなる。従って、係合突起２７ａを係止部材２９から離しておく時間が短くなり、上糸ループの通過時間にゆとりがない。また、オープナーのストロークが短い場合は、オープナー先端部２０ａが中釜当接部２７ｂに作用する時間は長くなるが、中釜当接部２７ｂから離れる距離を充分に確保することができなくなる。
【００２０】
図６を参照し、本発明のミシンのオープナーの第２実施形態について説明する。このオープナーも大部分が第１実施形態と同じであるので、相違点のみ説明する。
【００２１】
このオープナーは、中釜案内リンク軸６に偏心軸部６ａを設けた点に特徴があり、中釜案内リンク３の中釜案内リンク軸６への固定に際し、複数の連結穴３ａ、３ｂの何れかを選択して固定する点は、第１実施形態と変わらない。従って、このオープナーは、複数の連結穴３ａ、３ｂの何れかを選択して固定することの利点の他に、次のような利点がある。即ち、何れかの連結穴３ａ、３ｂに貫通された中釜案内リンク軸６の偏心軸部６ａを取付基材Ｂに止めねじ１４により固定する際に、中釜案内リンク軸６の頭部をドライバー等で回すことにより、中釜案内リンク３の偏心軸部６ａに対する相対的な位置を任意に変えることができる。これは、第１実施形態における、図５に示した長穴３ｃによって中釜案内リンク３の中釜案内リンク軸６に対する固定位置を任意に設定することと同様の効果を期待することができる。即ち、オープナー先端部１ａの理想的運動軌跡を得る際のきめ細かな対応が可能となる。
【００２２】
【発明の効果】
本発明は、以上説明したように構成されているので、以下に記載するような効果を奏する。
【００２３】
即ち、中釜を外釜回転方向と逆方向に回転させる際のオープナーの中釜当接部への作用量が少なく、且つ、作用速度が遅いので、従来の固定オープナーを備えたものと同様に作用時に発生する音が極めて小さい。また、オープナーの中釜当接部への作用量が少ないことにより、中釜の揺動量が減少し、下糸張力が安定し、その結果、良好な縫い目を形成することができる。更に、上糸ループがオープナー先端部及び中釜止め部を通過するときの安定開き時間を長くとることができる。その上、部品点数は従来のものと変わらず、製造コストも同程度となるし、使い勝手も従来のものと変わらない。特に、中釜案内リンク軸を複数設けて選択可能とし、且つ、中釜案内リンクにおける中釜案内リンク軸への連結位置を複数設けて選択可能とし、中釜案内腕における中釜案内リンクとの連結位置を複数設けて選択可能としたので、使用釜に最適なオープナー先端部の運動軌跡を得ることができる。
【図面の簡単な説明】
【図１】本発明のオープナーを装備した水平釜周辺の正面図である。
【図２】本発明のオープナーを装備した水平釜周辺の平面図であり、（２）はオープナーの運動軌跡を示す。
【図３】本発明のオープナーを装備した水平釜周辺の平面図であり（釜が図２のものと異なる）、（２）はオープナーの運動軌跡を示す。
【図４】本発明のオープナーを装備した水平釜周辺の正面図であり（釜が図２のものと異なる）、（２）はオープナーの運動軌跡を示す。
【図５】本発明のオープナーの中釜案内リンク取付け部の図であり、（１）は平面図、（２）は断面図、（３）は付属部品の斜視図である。
【図６】本発明のオープナー（第２実施形態）における中釜案内リンクと中釜案内リンク軸との関係を示す図であり、（１）は平面図、（２）は断面図である。
【図７】本発明のオープナー、従来のオープナーのそれぞれの運動軌跡と中釜との関係を示す図である。
【図８】従来のオープナーを装備した水平釜周辺の平面図である。
【符号の説明】
１      オープナー
１ａ    オープナー先端部
２      中釜案内腕
２ａ    連結穴
２ｂ    連結穴
３      中釜案内リンク
３ａ    連結穴
３ｂ    連結穴
４      釜軸
５      偏心カム
６      中釜案内リンク軸
６ａ    偏心軸部
１０    中釜
１０ａ  係合突起
１０ｂ  中釜当接部
１１    針板
１２    係止部材
１３    係止部材
Ｂ      取付基材
【図１】
0003943234.tif 000002
【図２】
0003943234.tif 000003
【図３】
0003943234.tif 000004
【図４】
0003943234.tif 000005
【図５】
0003943234.tif 000006
【図６】
0003943234.tif 000007
【図７】
0003943234.tif 000008
【図８】
0003943234.tif 000009